(57)【要約】【課題】  周波数分割多重（ＦＤＭ）方式を組み合わせて利用する無線通信システムにおいて、複数の無線通信端末が１の基地局装置からの同一内容の対複数端末送信をそれぞれの受信状況に応じて速やかに受信する。【解決手段】  無線通信端末は下り受信品質を測定し（ステップＳ１）、高速の伝送レートでの受信が可能ならば（ステップＳ２の“ＹＥＳ”）高速レート対応の設定をして復調及び復号を行う（ステップＳ３、Ｓ４）。高速レートの復号ができないと判断したか又は失敗したときは（ステップＳ２又はＳ５の“ＮＯ”）、中速の伝送レートでの受信が可能ならば（ステップＳ６の“ＹＥＳ”）中速レート対応の設定をして復調及び復号を行う（ステップＳ７、Ｓ８）。中速レートの復号ができないと判断したか又は失敗したときは（ステップＳ６又はＳ９の“ＮＯ”）、低速の伝送レート対応の設定をして復調及び復号を行う（ステップＳ１０、Ｓ１１）。【選択図】図１０
2008066778.tif 000002
【特許請求の範囲】
【請求項１】
データの単位ごとに周波数範囲と時間範囲の組み合わせを割り当てて、基地局装置から無線通信端末に対して送信することができる無線通信システムにおいて、
前記基地局装置は、対複数端末送信に対して定められた複数の伝送レートごとに対応する送信フォーマットに基づいて生成した対複数端末送信信号を、前記対複数端末送信に対して定められた複数の伝送レートごとに与えられた周波数範囲と時間範囲の組み合わせにおいて前記無線通信端末に対して送信し、
前記無線通信端末は、前記対複数端末送信に対して定められた複数の伝送レートの１を選択し、前記基地局装置から送信された対複数端末送信信号を、前記選択した伝送レートに与えられた周波数範囲と時間範囲の組み合わせにおいて前記選択した伝送レートに対応する送信フォーマットに基づいて受信、復調及び復号化する
ことを特徴とする無線通信システム。
【請求項２】
データの単位ごとに割り当てられた周波数範囲と時間範囲の組み合わせにおいて基地局装置から送信された信号を受信することができる無線通信端末であって、
前記基地局装置が対複数端末送信に対して定められた複数の伝送レートごとに対応する送信フォーマットに基づいて生成し、前記対複数端末送信に対して定められた複数の伝送レートごとに与えられた周波数範囲と時間範囲の組み合わせにおいて送信した対複数端末送信信号を、受信、復調及び復号化することができる受信手段と、
前記対複数端末送信に対して定められた複数の伝送レートの１を選択し、前記基地局装置から送信された対複数端末送信信号を、前記選択した伝送レートに与えられた周波数範囲と時間範囲の組み合わせにおいて前記選択した伝送レートに対応する送信フォーマットに基づいて、前記受信手段により受信、復調及び復号化させるように制御する制御手段とを
備えたことを特徴とする無線通信端末。
【請求項３】
前記受信手段が受信した信号の品質を評価する評価手段をさらに備え、前記制御手段は、前記基地局装置から受信した信号の品質を前記評価手段が評価した結果により、前記対複数端末送信に対して定められた複数の伝送レートの１を選択することを特徴とする請求項２に記載の無線通信端末。
【請求項４】
前記制御手段は、前記対複数端末送信に対して定められた複数の伝送レートの１を値の高い順に選択し、前記基地局装置から送信された対複数端末送信信号を、前記選択した伝送レートに与えられた周波数範囲と時間範囲の組み合わせにおいて前記選択した伝送レートに対応する送信フォーマットに基づいて前記受信手段により受信、復調及び復号化させることを成功するまで試みることを特徴とする請求項２に記載の無線通信端末。
【請求項５】
前記制御手段は、前記受信手段が前記基地局装置から送信された対複数端末送信信号を前記複数の伝送レートの２以上に対応して受信、復調及び復号化した結果をパケット合成させるようにさらに制御することを特徴とする請求項２乃至請求項４のいずれか１項に記載の無線通信端末。
【発明の詳細な説明】
【技術分野】
【０００１】
本発明は無線通信システム及び無線通信端末に係り、特に基地局装置と無線通信端末を構成に含む無線通信システム及び当該無線通信端末に関する。
【背景技術】
【０００２】
近年、インターネットの普及等により移動通信をはじめとする無線通信においても高速なデータ通信の実現が要望され、この要望に応えるものの１つとして適応変調技術を用いた無線システムのサービスが開始されている。その一例として、符号分割多元接続（ＣＤＭＡ）技術を応用した携帯電話方式の１規格（ｃｄｍａ２０００）に含まれる技術仕様である１ｘＥＶ−ＤＯ（Ｅｖｏｌｕｔｉｏｎ  Ｄａｔａ  Ｏｎｌｙ）に基づくシステムが知られている。
【０００３】
１ｘＥＶ−ＤＯシステムでは、無線通信端末は基地局装置からパイロット信号等を受信して下り回線の受信品質を測定し、その測定結果に基づき下り回線におけるデータの伝送方式の選択を基地局装置に対して要求する。基地局装置はこの要求を受信して、当該無線通信端末に対するデータの伝送方式を選択する。この方法により、当該無線通信端末の受信状態が良好なときは誤り耐性が低くても高速な伝送レートを用い、当該無線通信端末の受信状態が良好でないときは低速であっても誤り耐性の高い伝送レートを用いることができる。
【０００４】
上記の無線通信端末は、下り回線におけるデータ伝送誤り率等の統計データに予測を加味して求められた高精度の伝送レート選択用のテーブルを保持している。無線通信端末は当該テーブルを参照して、上述したようにデータの伝送方式の選択を基地局装置に対して要求する。その結果、下り回線の受信品質に対応して適切な伝送レートを選択することができる。
【０００５】
伝送方式は、伝送レートに対応する符号化率、変調方式等の組み合わせからなる送信フォーマットにより表される。例えば上述した１ｘＥＶ−ＤＯシステムでは、図１４に示すように表されている。なお符号化率については、符号化後のビット列において周期的にビットを除去（ｐｕｎｃｔｕｒｅ）又は挿入（ｒｅｐｅｔｉｔｉｏｎ）することにより調整する方法が知られている（例えば、非特許文献１参照。）。
【０００６】
図１４に示した表に基づき、受信品質が低い状態にある無線通信端末に対しては、例えば変調方式ＱＰＳＫ（Ｑｕａｄｒａｔｕｒｅ  Ｐｈａｓｅ  Ｓｈｉｆｔ  Ｋｅｙｉｎｇ）、符号化率５分の１の伝送方式を選択することができる。一方、受信品質が高い状態にある無線通信端末に対しては、例えば変調方式１６ＱＡＭ（Ｑｕａｄｒａｔｉｃ  Ａｍｐｌｉｔｕｄｅ  Ｍｏｄｕｌａｔｉｏｎ）、符号化率３分の２の伝送方式を選択することができる。
【０００７】
上述した１ｘＥＶ−ＤＯシステムの下り回線のデータ通信においては、時間を６００分の１秒幅のスロットに区切り、基地局装置が個々のスロットを係属しているそれぞれの無線通信端末に割り当てる時分割多重アクセス（Ｔｉｍｅ  Ｄｉｖｉｓｉｏｎ  Ｍｕｌｔｉｐｌｅ  Ａｃｃｅｓｓ、ＴＤＭＡと略す。）方式が用いられている。また、ある種の報知情報のように係属しているすべての無線通信端末に送信すべきデータは、共通用に割り当てられた所定のスロットにおいて送信される。その伝送レートは、受信品質が低い状態にある無線通信端末を考慮して、図１４に示されたうち最も低い方の３８．４ｋｂｐｓ又は７６．８ｋｂｐｓに設定される。
【０００８】
同一のグループに属する複数の加入者装置に対して、マルチキャスト送信を行う装置に関する技術が知られている（例えば、特許文献１参照。）。ここでマルチキャスト送信とは、特定の複数の相手方との間の通信における送信をいう（例えば、非特許文献２参照。）。この特許文献１に開示された技術によれば、同一のグループに属する複数の加入者装置のうち受信品質が最低の状態にある加入者装置が受信できるように、マルチキャスト送信のタイミング及び送信フォーマットが調整される旨が記載されている。
【０００９】
情報配信装置が同一のマルチキャスト情報を異なる複数の送信条件に従って配信し、無線通信端末がいずれかの送信条件にて配信されるマルチキャスト情報を受信する技術が知られている（例えば、特許文献２参照。）。この特許文献２に開示された技術によれば、複数の無線通信端末のそれぞれが、良好な受信品質を保ってマルチキャスト情報を受信することができる旨が記載されている。
【特許文献１】特表２００５−５２５７２０号公報（第２、８、９ページ、図２）
【特許文献２】特開２００１−３２０３２４号公報（第２、６乃至８ページ、図１４）
【非特許文献１】立川（監修）「Ｗ−ＣＤＭＡ移動通信方式」、丸善、東京、２００１年６月、第５１ページ
【非特許文献２】電子情報通信学会編「エンサイクロペディア電子情報通信ハンドブック」、オーム社、東京、１９９８年１１月、第８８５ページ
【発明の開示】
【発明が解決しようとする課題】
【００１０】
上述した１ｘＥＶ−ＤＯシステムのように、受信品質が低い状態にある無線通信端末を基準にして対複数端末送信の伝送レートを決定する方法では、受信品質が高い状態にある無線通信端末の受信時間が不必要に長くなるという問題がある。上述した特許文献１に開示された技術は、受信品質が最低の状態にある加入者装置を基準としてマルチキャスト送信のタイミング及び送信フォーマットを調整するものであるから、上記の問題を解決することはできない。
【００１１】
上述した特許文献２に開示された技術は、マルチキャスト情報の送信条件としてスペクトラム拡散の処理利得、拡散符号の組み合わせ又は変調方式を選び、異なる送信条件を与えたマルチキャスト情報を異なる時間スロットに割り当てるというものである。この技術は、いわゆる第３世代携帯電話に適用された符号分割多元接続（Ｃｏｄｅ  Ｄｉｖｉｓｉｏｎ  Ｍｕｌｔｉｐｌｅ  Ａｃｃｅｓｓ、ＣＤＭＡと略す。）方式を前提にするものと理解される。
【００１２】
これに対して、無線ローカルエリアネットワーク（無線ＬＡＮ）に適用され又はいわゆる次世代携帯電話への応用が検討されている、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略す。）の技術が知られている。上述した特許文献２に開示された技術は、ＯＦＤＭのように周波数帯域を分割して利用するシステムには適用できないという問題がある。
【００１３】
マルチキャスト送信に対し、不特定の複数の相手方との間の通信における送信をブロードキャスト送信と呼ぶ（例えば、非特許文献２参照。）。以下、基地局装置から複数の無線通信端末に対してなされるマルチキャスト送信及びブロードキャスト送信を総称して、対複数端末送信という。
【００１４】
本発明は上記の問題を解決するためになされたもので、ＯＦＤＭを含む周波数分割多重（ＦＤＭ）方式を組み合わせて利用する無線通信システムにおいて、複数の無線通信端末が１の基地局装置からの同一内容の対複数端末送信をそれぞれの受信状況に応じて速やかに受信することのできる無線通信システム及び当該無線通信端末を提供することを目的とする。
【課題を解決するための手段】
【００１５】
上記目的を達成するために、本発明の無線通信システムは、データの単位ごとに周波数範囲と時間範囲の組み合わせを割り当てて、基地局装置から無線通信端末に対して送信することができる無線通信システムにおいて、前記基地局装置は、対複数端末送信に対して定められた複数の伝送レートごとに対応する送信フォーマットに基づいて生成した対複数端末送信信号を、前記対複数端末送信に対して定められた複数の伝送レートごとに与えられた周波数範囲と時間範囲の組み合わせにおいて前記無線通信端末に対して送信し、前記無線通信端末は、前記対複数端末送信に対して定められた複数の伝送レートの１を選択し、前記基地局装置から送信された対複数端末送信信号を、前記選択した伝送レートに与えられた周波数範囲と時間範囲の組み合わせにおいて前記選択した伝送レートに対応する送信フォーマットに基づいて受信、復調及び復号化することを特徴とする。
【００１６】
また、本発明の無線通信端末は、データの単位ごとに割り当てられた周波数範囲と時間範囲の組み合わせにおいて基地局装置から送信された信号を受信することができる無線通信端末であって、前記基地局装置が対複数端末送信に対して定められた複数の伝送レートごとに対応する送信フォーマットに基づいて生成し、前記対複数端末送信に対して定められた複数の伝送レートごとに与えられた周波数範囲と時間範囲の組み合わせにおいて送信した対複数端末送信信号を、受信、復調及び復号化することができる受信手段と、前記対複数端末送信に対して定められた複数の伝送レートの１を選択し、前記基地局装置から送信された対複数端末送信信号を、前記選択した伝送レートに与えられた周波数範囲と時間範囲の組み合わせにおいて前記選択した伝送レートに対応する送信フォーマットに基づいて、前記受信手段により受信、復調及び復号化させるように制御する制御手段とを備えたことを特徴とする。
【発明の効果】
【００１７】
本発明によれば、データの単位ごとに周波数範囲と時間範囲の組み合わせを割り当てて通信を行う無線通信システムにおいて、複数の無線通信端末が基地局装置から送信された同一内容の対複数端末送信をそれぞれの受信品質の状態に応じて受信することができる。
【発明を実施するための最良の形態】
【００１８】
以下、図面を参照して本発明の実施例を説明する。
【実施例１】
【００１９】
以下、図１乃至図１０を参照して、本発明の実施例１を説明する。図１は、本発明の実施例１に係る無線通信システム１の概念図である。無線通信システム１は、基地局装置２並びに無線通信端末３、同３ａ、同３ｂ及び同３ｃを含んで構成される。無線通信システム１においては、パケット方式のデータ通信を、データの単位ごとに周波数範囲と時間範囲の組み合わせを割り当てて行うことができるものとする。
【００２０】
無線通信端末３乃至３ｃの各々の構成のうち、本発明に係る部分は同一とする。無線通信システム１は、無線通信端末３の本発明に係る部分と同一の部分を構成に含む図示しない他の無線通信端末を含んでもよい。基地局装置２は、図示しない移動通信ネットワークに接続されているものとする。
【００２１】
図２は、基地局装置２のブロック図である。基地局装置２は、無線通信端末３等に対して送信されるデータ（下り送信データ）を格納することができるメモリ２０を備えている。基地局装置２は、接続された移動通信ネットワークから下り送信データを得て、メモリ２０に格納することができる。基地局装置２は、誤り検出符号付加部２１を備えている。誤り検出符号付加部２１は、メモリ２０から読み出された下り送信データからなるビット列に、誤り検出符号（例えばパリティビット列）を付加する。
【００２２】
基地局装置２は、符号化部２２を備えている。符号化部２２は、下り送信データのビット列に誤り検出符号が付加されたビット列を、例えばターボ符号化する。基地局装置２は、符号化率調整部２３及び制御部２４を備えている。符号化率調整部２３は、符号化部２２により符号化された出力のビット列に対して、例えば周期的なビット除去（ｐｕｎｃｔｕｒｅ）又は周期的なビット挿入（ｒｅｐｅｔｉｔｉｏｎ）の方法により、符号化率を調整して設定する。制御部２４は、符号化率調整部２３に対して当該設定すべき符号化率を指示する（図２において、制御部２４からの指示を矢印付き破線で表す。以下同様。）。
【００２３】
基地局装置２は、変調部２５を備えている。変調部２５は、制御部２４から変調方式を指示される。変調部２５は、符号化率調整部２３から出力されたビット列を設定された変調方式に基づいて表した送信信号列（ベースバンド信号）を生成する。基地局装置２は、送信マッピング部２６を備えている。送信マッピング部２６は、下り送信データの単位ごとの送信信号列に対して、制御部２４から指示された周波数範囲と時間範囲の組み合わせ（複数のことがある。）を割り当てる。
【００２４】
基地局装置２は、無線部２７及びアンテナ２８を備えている。無線部２７は、送信マッピング部２６から出力された送信信号列から被変調波（下り送信波）を生成し、下り送信データの単位ごとに割り当てられた時間範囲及び周波数範囲においてアンテナ２８から送信する。
【００２５】
無線部２７は、下り回線の品質情報（下り品質情報）を含んで無線通信端末３等から送られた信号波を、アンテナ２８を介して受信する。無線部２７は、当該信号波から下り品質情報を抽出して、制御部２４に送る。制御部２４は、各無線通信端末の下り品質情報に基づいて、各無線通信端末に対する送信における符号化率、変調方式及び時間範囲と周波数範囲の組み合わせを、符号化率調整部２３、変調部２５及び送信マッピング部２７に対して上述したようにそれぞれ指示する。基地局装置２は、図２に示されない他の構成を含んでいてもよい。
【００２６】
図３は、無線通信端末３のブロック図である。無線通信端末３は、アンテナ３０及び無線部３１を備えている。無線部３１はアンテナ３０を介して、基地局装置２から送られた下り送信波を受信する。
【００２７】
無線通信端末３は、制御部３２及び復調部３３を備えている。制御部３２は、例えばマイクロプロセッサ又はディジタルシグナルプロセッサ（ＤＳＰ）のようなデバイス（単数でも複数でもよい。）からなる。制御部３２は、無線通信端末３の全体及び各部の監視及び制御を行う。制御部３２は下位の構成として、送信フォーマット情報取得部３２ａ、マッピング情報取得部３２ｂ及びデータ選択部３２ｃを有している。これらの下位の構成３２ａ乃至３２ｃは、例えばソフトウェアによる機能ブロックとして実現することができる。これらの下位の構成３２ａ乃至３２ｃの動作を含む制御部３２の処理については、後述する。
【００２８】
復調部３３は、下り送信データの単位ごとに割り当てられた時間範囲及び周波数範囲並びに変調方式に関して制御部３２から指示を受け（図３において、制御部３２からの指示を矢印付き破線で表す。以下同様。）、指示された時間範囲及び周波数範囲において、無線部３１の出力信号から下り送信データの単位ごとの受信信号列を復調する。制御部３２は、復調後の受信信号列の軟判定値情報を復調部３３から得て、メモリ３７に格納することができる。
【００２９】
無線通信端末３は、符号化率調整部３４を備えている。符号化率調整部３４は、基地局装置２の符号化率調整部２３において設定された符号化率に関して制御部３２から指示を受け、上記の受信信号列に対して対応する処理（例えば符号化率調整部２３においてｐｕｎｃｔｕｒｅ処理が行われた場合であれば、ｄｅｐｕｎｃｔｕｒｅ処理。）を行う。
【００３０】
無線通信端末３は、復号化部３５及び誤り検出部３６を備えている。復号化部３５は、符号化率調整部３４の出力に対して、基地局装置２の符号化部２２において行われた符号化に対応する復号化（例えば、ターボ復号化）を行う。誤り検出部３６は、復号化部３５の出力に対して、基地局装置２の誤り検出符号付加部２１において付加された誤り検出符号に基づく誤り検出を行う。誤り検出部３６は、誤りの有無と、復号された情報ビット列からなる下り送信データを制御部３２に送る。
【００３１】
無線通信端末３は、メモリ３７及びユーザインターフェース部３８を備えている。制御部３２は、受け取った下り送信データをメモリ３７に格納することができる。メモリ３７は、基地局装置２に向けて送信されるデータ（上り送信データ）を格納することができる。ユーザインターフェース部３８は、表示デバイス及び複数のキースイッチを含む。制御部３２は、受け取った下り送信データをユーザインターフェース部３８の表示デバイスにより表示することができる。
【００３２】
無線通信端末３は、ＣＩＲ測定部４１を備えている。ＣＩＲ測定部４１は、例えば下り送信波に含まれるパイロット信号を検出して、下り送信波における搬送波電力対干渉電力比（ＣＩＲ）を測定することができる。ＣＩＲ測定部４１は、測定したＣＩＲのデータを制御部３３に送る。制御部３２は、当該ＣＩＲのデータに基づいて、下り回線の品質情報（下り品質情報）を生成することができる。
【００３３】
無線通信端末３は、送信データ生成部４２を備えている。送信データ生成部４２は、制御部３２がメモリ３７から読み出した上り送信データと下り品質情報を制御部３２から受け取って多重化し、さらに符号化、変調等を行って、無線部３１及びアンテナ３０を介して基地局装置２に対して送信することができる。送信データ生成部４２による符号化、変調等の処理は、基地局装置２の説明において述べた内容と同様であるから、詳細は省略する。
【００３４】
図４乃至図９を参照して、下り送信データの単位ごとの周波数範囲と時間範囲の組み合わせの割り当てについて説明する。図４は、当該割り当てがされる周波数範囲と時間範囲の組み合わせを説明する図である（概念の説明であるから、具体的な数値例を省く。）。無線通信システム１においては、周波数方向に１以上の所定数の一連のサブキャリアが１のサブキャリアグループを構成し、時間方向に１以上の所定数のシンボルで１サブフレームを構成する。１の無線通信端末に割り当てられるリソースブロックは、１のサブフレームと１のサブキャリアグループを最小の単位として使用するものとする。
【００３５】
図４において、「下り送信データの単位当り割り当て可能時間幅」及び「下り送信データの単位当り割り当て可能周波数帯域」は、それぞれ１０個のサブフレーム（符号ａ乃至ｊで区別する。）及び１０個のサブキャリアグループ（符号０乃至９で区別する。）に等分割されている。基地局装置２は、下り送信データの単位ごとに、上記のサブフレームの何れかとサブキャリアグループの何れかの組み合わせ（複数のことがある。）を割り当てることができる。
【００３６】
基地局装置２は、対複数端末送信される下り送信データに３通り（低速、中速及び高速）の伝送レートを与えるものとする。上記の３通りの伝送レートのそれぞれに対応する符号化率と変調方式は、予め定められているものとする。制御部２４は、与えられた伝送レートに対応する符号化率を上述したように符号化率調整部２３に指示し、かつ、与えられた伝送レートに対応する変調方式を上述したように変調部２５に指示する。
【００３７】
上述した各伝送レートを割り当てられた下り送信データの単位ごとに必要とするサブフレームとサブキャリアグループの組み合わせの数は、伝送レートが高いほど小さくて済む。図５は、上述した各伝送レートにおいて下り送信データの単位ごとに必要とするサブフレームとサブキャリアグループの組み合わせの数を例示する図である。図５に示すように、低速の場合５個（斜線のハッチングで表す。）、中速の場合３個（金網状のハッチングで表す。）、高速の場合１個（低速及び中速より目の細かいハッチングで表す。）のサブフレームとサブキャリアグループの組み合わせを、下り送信データの単位ごとに必要とするものとする。
【００３８】
図６は、対複数端末送信される下り送信データの単位について、上述した各伝送レートにおけるサブフレームとサブキャリアグループの組み合わせの割り当てを例示する第１の図である。この例では、低速の伝送レートにおいてサブフレームａとサブキャリアグループ０から４までの５個の組み合わせ、中速の伝送レートにおいてサブフレームａとサブキャリアグループ５から７までの３個の組み合わせ、高速の伝送レートにおいてサブフレームａとサブキャリアグループ８の１個の組み合わせが、それぞれ割り当てられる。制御部２４は、これらの各伝送レートに対応するサブフレームとサブキャリアグループの組み合わせを、上述したように送信マッピング部２６に指示する。
【００３９】
図７は、対複数端末送信される下り送信データの単位について、上述した各伝送レートにおけるサブフレームとサブキャリアグループの組み合わせの割り当てを例示する第２の図である。この例では、低速の伝送レートにおいてサブフレームａからｅまでとサブキャリアグループ０の５個の組み合わせ、中速の伝送レートにおいてサブフレームｆからｈまでとサブキャリアグループ０の３個の組み合わせ、高速の伝送レートにおいてサブフレームｉとサブキャリアグループ０の１個の組み合わせが、それぞれ割り当てられる。
【００４０】
図８は、対複数端末送信される下り送信データの単位について、上述した各伝送レートにおけるサブフレームとサブキャリアグループの組み合わせの割り当てを例示する第３の図である。この例では、低速の伝送レートにおいてサブフレームａからｅまでとサブキャリアグループ０の５個の組み合わせ、中速の伝送レートにおいてサブフレームｆからｈまでとサブキャリアグループ１の３個の組み合わせ、高速の伝送レートにおいてサブフレームｉとサブキャリアグループ２の１個の組み合わせが、それぞれ割り当てられる。
【００４１】
図９は、対複数端末送信される下り送信データの単位について、上述した各伝送レートにおけるサブフレームとサブキャリアグループの組み合わせの割り当てを例示する第４の図である。この例では、低速の伝送レートにおいてサブフレームａとサブキャリアグループ２の組み合わせを含む５個の組み合わせ、中速の伝送レートにおいてサブフレームｃとサブキャリアグループ４の組み合わせを含む３個の組み合わせ、高速の伝送レートにおいてサブフレームｅとサブキャリアグループ０の１個の組み合わせが、それぞれ割り当てられる。この他、上述した各伝送レートにおけるサブフレームとサブキャリアグループの組み合わせの割り当ては、必要な個数が保たれる限り任意に行うことができる。
【００４２】
図１０を参照して、本発明の実施例１に係る無線通信端末３の動作について説明する。図１０は、無線通信端末３の動作を表すフローチャートである。無線通信端末３は実施例１に係る処理を開始する前に、対複数端末送信される下り送信データの伝送レート（上述したように、低速、中速及び高速の３通りとする。）並びに伝送レートごとの送信フォーマット情報及びマッピング情報を基地局装置２から得ているものと仮定する。ここで送信フォーマット情報は、符号化率、変調方式及びその他の下り送信データを復調及び復号化して利用するのに必要な情報をいう。マッピング情報は、図６乃至図９に例示した各伝送レートにおけるサブフレームとサブキャリアグループの組み合わせの割り当ての情報をいう。
【００４３】
制御部３２の送信フォーマット情報取得部３２ａは、例えば基地局装置２と無線通信端末３の間の制御チャネルを介して上記の送信フォーマット情報を取得し、保持している。制御部３２のマッピング情報取得部３２ｂは、例えば上記の制御チャネルを介して上記のマッピング情報を取得し、保持している。
【００４４】
処理の開始（“ＳＴＡＲＴ”）後、制御部３２はＣＩＲ測定部４１に指示して、例えば下り送信波に含まれるパイロット信号の検出等に基づき下り送信波のＣＩＲ値を測定させ、その受信品質を評価する（ステップＳ１）。
【００４５】
その結果、高速の伝送レートで対複数端末送信された下り送信データを受信可能な程度の受信品質が得られていると評価されたとき（ステップＳ２の“ＹＥＳ”）、制御部３２はマッピング情報取得部３２ｂが保持する高速の伝送レートにおけるサブフレームとサブキャリアグループの組み合わせの割り当てを復調部３３に指示する。また制御部３２は、送信フォーマット情報取得部３２ａが保持する高速の伝送レートにおける符号化率の値を符号化率調整部３４に指示する（ステップＳ３）。
【００４６】
復調部３３は前述したように、当該サブフレームとサブキャリアグループの組み合わせに対応する時間範囲及び周波数範囲において、アンテナ３０及び無線部３１を介して受信された信号から下り送信データの単位ごとに受信信号列を復調する。符号化率調整部３４は前述したように、基地局装置２の符号化率調整部２３における符号化率調整に対応する処理（例えばｄｅｐｕｎｃｔｕｒｅ処理であるが、それに限らない。）を行う。復号化部３５は、符号化率調整部３４の出力に対して前述した復号化を行う（ステップＳ４）。
【００４７】
誤り検出部３６は、復号化部３５の出力に対して前述した誤り検出を行う。その結果、誤りが検出されなければ、制御部３２は受信を完了したものと判断して（ステップＳ５の“ＹＥＳ”）、処理を終了する（“ＥＮＤ”）。
【００４８】
ステップＳ２において、高速の伝送レートで送られた下り送信データを受信可能な程度の受信品質が得られていないと評価されたとき（ステップＳ２の“ＮＯ”）、又はステップＳ５において誤りが検出され受信が完了しなかったと判断されたとき（ステップＳ５の“ＮＯ”）、下り送信波の受信品質に基づき、中速の伝送レートにおける受信の可否が判断される。
【００４９】
その結果、中速の伝送レートで対複数端末送信された下り送信データを受信可能な程度の受信品質が得られていると評価されたとき（ステップＳ６の“ＹＥＳ”）、制御部３２はマッピング情報取得部３２ｂが保持する中速の伝送レートにおけるサブフレームとサブキャリアグループの組み合わせの割り当てを復調部３３に指示する。また制御部３２は、送信フォーマット情報取得部３２ａが保持する中速の伝送レートにおける符号化率の値を符号化率調整部３４に指示する（ステップＳ７）。
【００５０】
ステップＳ７に続くステップＳ８及びステップＳ９の処理は、伝送レートの相違を除き上述したステップＳ４及びステップＳ５の処理と同様であるから、説明を省略する。ステップＳ９において誤りが検出されなければ、制御部３２は受信を完了したものと判断して（ステップＳ５の“ＹＥＳ”）、処理を終了する（“ＥＮＤ”）。
【００５１】
ステップＳ６において、中速の伝送レートで送られた下り送信データを受信可能な程度の受信品質が得られていないと評価されたとき（ステップＳ６の“ＮＯ”）、又はステップＳ９において誤りが検出され受信が完了しなかったと判断されたとき（ステップＳ９の“ＮＯ”）、制御部３２はマッピング情報取得部３２ｂが保持する低速の伝送レートにおけるサブフレームとサブキャリアグループの組み合わせの割り当てを復調部３３に指示する。また制御部３２は、送信フォーマット情報取得部３２ａが保持する低速の伝送レートにおける符号化率の値を符号化率調整部３４に指示する（ステップＳ１０）。
【００５２】
ステップＳ１０に続くステップＳ１１の処理は、伝送レートの相違を除き上述したステップＳ４又はステップＳ８の処理と同様であるから、説明を省略する。制御部３２は、ステップＳ１１に続いて処理を終了する（“ＥＮＤ”）。
【００５３】
なお、制御部３２に含まれるデータ選択部３２ｃは、いずれかの伝送レートで送られた下り送信データのうち受信が完了したと判断されたものを選択し、メモリ３７への格納又はユーザインターフェース部３８における表示等を行う。
【００５４】
本発明の実施例１によれば、無線通信端末３が下り送信波の受信品質を測定した結果に基づき、受信可能な最も高い伝送レートで対複数端末送信された下り送信データを受信することができる。その結果、受信品質が高い状態にある無線通信端末の受信時間が不必要に長くなるという問題が改善される。
【実施例２】
【００５５】
以下、図１１を参照して、本発明の実施例２を説明する。本発明の実施例２に係る無線通信システム及び無線通信端末は、実施例１で説明した無線通信システム１及び無線通信端末３と同じとし、実施例１で参照した各図も適宜参照する。図１１は、無線通信端末３の実施例２に係る動作を表すフローチャートである。実施例１の場合と同じく、無線通信端末３は実施例２に係る処理を開始する前に、対複数端末送信される下り送信データの伝送レート並びに伝送レートごとの送信フォーマット情報及びマッピング情報を基地局装置２から得ているものと仮定する。
【００５６】
処理の開始（“ＳＴＡＲＴ”）後、ステップＳ２１乃至ステップＳ２７の処理は、図１０のステップＳ１乃至ステップＳ７の処理と同じであるから説明を省略する。なお制御部３２はステップＳ２４において、前述したように高速の伝送レートに対する復調後の受信信号列の軟判定値情報をメモリ３７に格納する。
【００５７】
ステップＳ２７に続いて、復調部３３は、中速の伝送レートにおけるサブフレームとサブキャリアグループの組み合わせに対応する時間範囲及び周波数範囲において、前述したように中速の伝送レートで送られた下り送信波から受信信号列を復調する（ステップＳ２８）。なお制御部３２はステップＳ２８において、前述したように中速の伝送レートに対する復調後の受信信号列の軟判定値情報をメモリ３７に格納する。
【００５８】
ステップＳ２８までの処理フローにおいて高速の伝送レートに対する復調が行われていれば（ステップＳ２９の“ＹＥＳ”）、制御部３２は高速の伝送レートに対する復調後の受信信号列の軟判定値情報をメモリ３７から読み出して、復調部３３の出力段において中速の伝送レートに対する復調後の受信信号列とパケット合成を行わせる。パケット合成は、ハイブリッド自動再送要求（ＡＲＱ）と併用してパケット誤り率及びスループット特性の改善に寄与する技術として知られている（例えば、非特許文献１の第４９ページ参照。）。パケット合成後の信号列に対して、前述したように符号化率調整部３４における処理及び復号化部３５における復号化が行われる（ステップＳ３０）。パケット合成により、信号電力対干渉又は雑音電力比をさらに改善して、誤りを低減することが可能になる。
【００５９】
ステップＳ２８までの処理フローにおいて高速の伝送レートに対する復調が行われていなければ（ステップＳ２９の“ＮＯ”）、ステップＳ２８で復調された受信信号列に対して、前述したように符号化率調整部３４における処理及び復号化部３５における復号化が行われる（ステップＳ３１）。ステップＳ３０又はステップＳ３１に続くステップＳ３２の処理は、ステップＳ２５の処理と同じであるから説明を省略する。
【００６０】
ステップＳ２６の“ＮＯ”又はステップＳ３２の“ＮＯ”に続くステップＳ３３の処理は、図１０のステップＳ１０の処理と同じであるから説明を省略する。ステップＳ３３に続いて、復調部３３は、低速の伝送レートにおけるサブフレームとサブキャリアグループの組み合わせに対応する時間範囲及び周波数範囲において、前述したように低速の伝送レートで送られた下り送信波から受信信号列を復調する（ステップＳ３４）。
【００６１】
ステップＳ３４までの処理フローにおいて高速又は中速の伝送レートに対する復調が行われていれば（ステップＳ３５の“ＹＥＳ”）、制御部３２は、高速若しくは中速又はそれらの両方の伝送レートに対する復調後の受信信号列の軟判定値情報をメモリ３７から読み出して、復調部３３の出力段において低速の伝送レートに対する復調後の受信信号列とパケット合成を行わせる。パケット合成後の信号列に対して、前述したように符号化率調整部３４における処理及び復号化部３５における復号化が行われる（ステップＳ３６）。
【００６２】
ステップＳ３４までの処理フローにおいて高速又は中速のいずれの伝送レートに対する復調も行われていなければ（ステップＳ３５の“ＮＯ”）、ステップＳ３４で復調された受信信号列に対して、前述したように符号化率調整部３４における処理及び復号化部３５における復号化が行われる（ステップＳ３７）。
【００６３】
図１０を参照して説明した場合と同様、処理の終了後にデータ選択部３２ｃがいずれかの伝送レートで送られた下り送信データのうち受信が完了したと判断されたものを選択し、メモリ３７への格納又はユーザインターフェース部３８における表示等を行う。
【００６４】
本発明の実施例２によれば、パケット合成の適用によって無線通信端末の受信特性を向上させることができるという、付加的な効果が得られる。
【実施例３】
【００６５】
以下、図１２及び図１３を参照して、本発明の実施例３を説明する。本発明の実施例３に係る無線通信システム及び無線通信端末は、実施例１で説明した無線通信システム１及び無線通信端末３と同じとし、実施例１で参照した各図も適宜参照する。ただし実施例３に係る無線通信端末３は、図３を参照して説明したＣＩＲ測定部４１を備えなくてもよい。
【００６６】
図１２は、無線通信端末３の実施例３に係る動作を表すフローチャートである。実施例１の場合と同じく、無線通信端末３は実施例３に係る処理を開始する前に、対複数端末送信される下り送信データの伝送レート並びに伝送レートごとの送信フォーマット情報及びマッピング情報を基地局装置２から得ているものと仮定する。
【００６７】
処理の開始（“ＳＴＡＲＴ”）後、制御部３２はマッピング情報取得部３２ｂが保持する高速の伝送レートにおけるサブフレームとサブキャリアグループの組み合わせの割り当てを復調部３３に指示する。また制御部３２は、送信フォーマット情報取得部３２ａが保持する高速の伝送レートにおける符号化率の値を符号化率調整部３４に指示する（ステップＳ４１）。
【００６８】
なお、図１０のステップＳ１及びステップＳ２に相当する処理（下り受信品質の測定及びその結果に基づく処理の分岐）は省かれている。ステップＳ４１乃至ステップＳ４３の処理は、図１０のステップＳ３乃至ステップＳ５の処理と同じであるから、ステップＳ４２とステップＳ４３については説明を省略する。
【００６９】
ステップＳ４３において誤りが検出され受信が完了しなかったと判断されたとき（ステップＳ４３の“ＮＯ”）、制御部３２はマッピング情報取得部３２ｂが保持する中速の伝送レートにおけるサブフレームとサブキャリアグループの組み合わせの割り当てを復調部３３に指示する。また制御部３２は、送信フォーマット情報取得部３２ａが保持する中速の伝送レートにおける符号化率の値を符号化率調整部３４に指示する（ステップＳ４４）。
【００７０】
なお、図１０のステップＳ６に相当する処理（下り受信品質の測定の結果に基づく処理の分岐）は省かれている。ステップＳ４４乃至ステップＳ４６の処理は、図１０のステップＳ７乃至ステップＳ９の処理と同じであるから、ステップＳ４５とステップＳ４６については説明を省略する。
【００７１】
ステップＳ４６において誤りが検出され受信が完了しなかったと判断されたとき（ステップＳ４６の“ＮＯ”）、制御部３２はマッピング情報取得部３２ｂが保持する低速の伝送レートにおけるサブフレームとサブキャリアグループの組み合わせの割り当てを復調部３３に指示する。また制御部３２は、送信フォーマット情報取得部３２ａが保持する低速の伝送レートにおける符号化率の値を符号化率調整部３４に指示する（ステップＳ４７）。ステップＳ４７及びステップＳ４８の処理は、図１０のステップＳ１０及びステップＳ１１の処理と同じであるから、ステップＳ４８については説明を省略する。
【００７２】
図１０を参照して説明した場合と同様、処理の終了後にデータ選択部３２ｃがいずれかの伝送レートで送られた下り送信データのうち受信が完了したと判断されたものを選択し、メモリ３７への格納又はユーザインターフェース部３８における表示等を行う。
【００７３】
図１２の処理フローによれば、ステップＳ４３又はステップＳ４６において誤りが検出されなければ、制御部３２は受信を完了したものと判断して（ステップ４３又はステップＳ４６の“ＹＥＳ”）処理を終了し（“ＥＮＤ”）、伝送レートを下げた条件での復調及び復号化を行わない。上述したように、図１０を参照して説明した下り受信品質の測定とその結果に基づく処理の分岐を行わないので、処理フローを簡潔にすることができる。
【００７４】
図１３は、無線通信端末３の実施例３に係る動作の変形例を表すフローチャートである。図１２の場合と同じく、無線通信端末３は実施例３に係る処理を開始する前に、対複数端末送信される下り送信データの伝送レート並びに伝送レートごとの送信フォーマット情報及びマッピング情報を基地局装置２から得ているものと仮定する。
【００７５】
処理の開始（“ＳＴＡＲＴ”）後、ステップＳ５１乃至ステップＳ５４の処理は、図１２のステップＳ４１乃至ステップＳ４４の処理と同じであるから説明を省略する。なお制御部３２はステップＳ５２において、前述したように高速の伝送レートに対する復調後の受信信号列の軟判定値情報をメモリ３７に格納する。
【００７６】
ステップＳ５４に続いて、復調部３３は、中速の伝送レートにおけるサブフレームとサブキャリアグループの組み合わせに対応する時間範囲及び周波数範囲において、前述したように中速の伝送レートで送られた下り送信波から受信信号列を復調する（ステップＳ５５）。これは、図１１のステップＳ２８の処理と同じである。なお制御部３２はステップＳ５５において、前述したように中速の伝送レートに対する復調後の受信信号列の軟判定値情報をメモリ３７に格納する。
【００７７】
次に制御部３２は、高速の伝送レートに対する復調後の受信信号列の軟判定値情報をメモリ３７から読み出して、復調部３３の出力段において中速の伝送レートに対する復調後の受信信号列とパケット合成を行わせ、パケット合成後の信号列に対して、前述したように符号化率調整部３４における処理及び復号化部３５における復号化が行われる（ステップＳ５６）。これは、図１１のステップＳ３０の処理と同じである。ステップＳ５６に続くステップＳ５７の処理は、ステップＳ５３の処理と同じであるから説明を省略する。
【００７８】
ステップＳ５７の“ＮＯ”に続くステップＳ５８及びステップＳ５９の処理は、図１１のステップＳ３３及びステップＳ３４の処理と同じであるから説明を省略する。次に制御部３２は、高速及び中速の伝送レートに対する復調後の受信信号列の軟判定値情報をメモリ３７から読み出して、復調部３３の出力段において低速の伝送レートに対する復調後の受信信号列とパケット合成を行わせる。これは、図１１のステップＳ３６において高速及び中速の両方の伝送レートに対する復調後の受信信号列とのパケット合成を行わせる場合の処理と同じである。
【００７９】
パケット合成後の信号列に対して、前述したように符号化率調整部３４における処理及び復号化部３５における復号化が行われる（ステップＳ６０）。
【００８０】
図１０を参照して説明した場合と同様、処理の終了後にデータ選択部３２ｃがいずれかの伝送レートで送られた下り送信データのうち受信が完了したと判断されたものを選択し、メモリ３７への格納又はユーザインターフェース部３８における表示等を行う。図１３の処理フローによれば、図１２の処理フローにパケット合成を適用して、無線通信端末の受信特性を向上させることができる。
【００８１】
本発明の実施例３によれば、実施例１又は実施例２と異なり下り受信品質の測定とその結果に基づく処理の分岐を行わないので、処理フローを簡潔にすることができるという付加的な効果が得られる。以上の実施例１乃至実施例３において説明した無線通信システム又は無線通信端末の構成、接続、処理フロー、伝送レートの種類と数等は例示であり、本発明の要旨を逸脱しない範囲でさまざまな変形が可能である。
【図面の簡単な説明】
【００８２】
【図１】本発明の実施例１に係る無線通信システムの概念図。
【図２】実施例１に係る無線通信システムの基地局装置のブロック図。
【図３】本発明の実施例１に係る無線通信端末のブロック図。
【図４】実施例１において割り当てがされる周波数範囲と時間範囲の組み合わせを説明する図。
【図５】実施例１において必要とするサブフレームとサブキャリアグループの組み合わせの数を例示する図。
【図６】実施例１においてサブフレームとサブキャリアグループの組み合わせの割り当てを例示する第１の図。
【図７】実施例１においてサブフレームとサブキャリアグループの組み合わせの割り当てを例示する第２の図。
【図８】実施例１においてサブフレームとサブキャリアグループの組み合わせの割り当てを例示する第３の図。
【図９】実施例１においてサブフレームとサブキャリアグループの組み合わせの割り当てを例示する第４の図。
【図１０】実施例１に係る無線通信端末の動作のフローチャート。
【図１１】本発明の実施例２に係る無線通信端末の動作のフローチャート。
【図１２】本発明の実施例３に係る無線通信端末の動作のフローチャート。
【図１３】本発明の実施例３に係る無線通信端末の動作の変形例のフローチャート。
【図１４】伝送レートに対応する送信フォーマットの従来の組み合わせを例示する図。
【符号の説明】
【００８３】
１  無線通信システム
２  基地局装置
３  無線通信端末
２０、３７  メモリ
２１  誤り検出符号付加部
２２  符号化部
２３、３４  符号化率調整部
２４、３２  制御部
３２ａ  送信フォーマット情報取得部
３２ｂ  マッピング情報取得部
３２ｃ  データ選択部
２５  変調部
２６  送信マッピング部
２７、３１  無線部
２８、３０  アンテナ
３３  復調部
３５  復号化部
３６  誤り検出部
３８  ユーザインターフェース部
４１  ＣＩＲ測定部
４２  送信データ生成部
【図１】
2008066778.tif 000003
【図２】
2008066778.tif 000004
【図３】
2008066778.tif 000005
【図４】
2008066778.tif 000006
【図５】
2008066778.tif 000007
【図６】
2008066778.tif 000008
【図７】
2008066778.tif 000009
【図８】
2008066778.tif 000010
【図９】
2008066778.tif 000011
【図１０】
2008066778.tif 000012
【図１１】
2008066778.tif 000013
【図１２】
2008066778.tif 000014
【図１３】
2008066778.tif 000015
【図１４】
2008066778.tif 000016